(57)【特許請求の範囲】
【請求項１】
携帯電話が接続可能なように構成されている電動工具用バッテリの充電装置であって、
前記充電装置に接続された携帯電話が受信した音声信号を音声に変換する第１のスピーカ部と、
音声を前記携帯電話に入力するための音声信号に変換するマイク部と、
前記第１のスピーカ部と前記マイク部とを使用し、前記携帯電話の通信機能を利用して通話ができるように、前記第１のスピーカ部と前記マイク部とを身体に保持可能に構成された保持部材と、
前記電動工具用バッテリからの電力を前記携帯電話に供給できるように構成された携帯電話用電源部とを有することを特徴とする充電装置。
【請求項２】
請求項１に記載された充電装置であって、
前記充電装置のハウジングには、前記携帯電話の通信機能を利用して通話可能なように構成された固定電話部が収納されており、前記固定電話部の受話器が前記第１のスピーカ部とマイク部とを備える前記保持部材を構成していることを特徴とする充電装置。
【請求項３】
請求項１又は請求項２のいずれかに記載された充電装置であって、
前記充電装置のハウジングには、前記電動工具用バッテリの充電状態、あるいは前記携帯電話の着信を報知する回転灯が設けられていることを特徴とする充電装置。
【請求項４】
請求項１から請求項３のいずれかに記載された充電装置であって、
前記携帯電話用電源部は、商用電源からの電力を前記携帯電話に供給できるように構成されていることを特徴とする充電装置。
【請求項５】
請求項１から請求項４のいずれかに記載された充電装置であって、
前記充電装置のハウジングには、前記携帯電話の音声信号を音声に変換するための第２のスピーカ部が収納されていることを特徴とする充電装置。
【請求項６】
請求項１から請求項５のいずれかに記載された充電装置であって、
前記充電装置のハウジングには、商用電源用のコンセントが取り付けられていることを特徴とする充電装置。
【請求項７】
請求項１から請求項６のいずれかに記載された充電装置であって、
前記充電装置のハウジングの端縁部は、弾性体によって外側から覆われていることを特徴とする充電装置。
【発明の詳細な説明】
【技術分野】
【０００１】
本発明は、携帯電話が接続可能なように構成されている電動工具用バッテリの充電装置に関する。
【背景技術】
【０００２】
この電動工具用バッテリの充電装置に関連する技術が特許文献１に記載されている。
特許文献１に記載の充電装置は、携帯電話が接続されるコネクタを備えており、前記コネクタを介して接続された携帯電話に電動工具用バッテリの充電に関する情報を伝送できるように構成されている。これにより、前記携帯電話を介してバッテリの充電完了等の情報を離れた位置で作業している作業者の別の携帯電話に送信することが可能になる。
【先行技術文献】
【特許文献】
【０００３】
【特許文献１】特開２００８−８６０６５号公報
【発明の概要】
【発明が解決しようとする課題】
【０００４】
上記した充電装置では、携帯電話をバッテリの充電情報を伝送するための手段としてのみ使用している。このため、前記充電装置には携帯電話の使い勝手を向上させるような機能は特に設けられていない。
例えば、工事現場では、離れた位置にいる作業者どうしが携帯電話を使用して仕事の打ち合わせを行うことが頻繁に行われている。携帯電話を使用した作業打ち合わせで、図面等を持って要点をメモする場合を考えると、片手に携帯電話を持ちながらの作業では効率が非常に悪い。このため、現場において携帯電話の使い勝手を向上させる機能が要望されている。
【０００５】
本発明は、上記問題点を解決するためになされたものであり、本発明が解決しようとする課題は、携帯電話が接続可能に構成されている充電装置において、前記携帯電話を現場で使用する際の使い勝手を向上させることである。
【課題を解決するための手段】
【０００６】
上記した課題は、各請求項の発明によって解決される。
請求項１の発明は、携帯電話が接続可能なように構成されている電動工具用バッテリの充電装置であって、前記充電装置に接続された携帯電話が受信した音声信号を音声に変換する第１のスピーカ部と、音声を前記携帯電話に入力するための音声信号に変換するマイク部と、前記第１のスピーカ部と前記マイク部とを使用し、前記携帯電話の通信機能を利用して通話ができるように、前記第１のスピーカ部と前記マイク部とを身体に保持可能に構成された保持部材と、前記電動工具用バッテリからの電力を前記携帯電話に供給できるように構成された携帯電話用電源部とを有することを特徴とする。
【０００７】
本発明によると、保持部材により第１のスピーカ部とマイク部とを身体に保持した状態で、その第１のスピーカ部とマイク部とを使用し、充電装置に接続された携帯電話の通信機能を利用して相手と通話することができる。即ち、両手がフリーの状態で相手との通話が可能になる。
このため、例えば、携帯電話による作業打ち合わせにおいて、両手が塞がっている場合にも効率良く打ち合わせを行なえるようになり、携帯電話の使い勝手が向上する。
また、現場で携帯電話の充電が可能になり、携帯電話の使い勝手が向上する。
【０００８】
請求項２に係る発明によると、充電装置のハウジングには、携帯電話の通信機能を利用して通話可能なように構成された固定電話部が収納されており、前記固定電話部の受話器が前記第１のスピーカ部とマイク部とを備える前記保持部材を構成していることを特徴とする。
このため、携帯電話をかける際に、充電装置のハウジングに設けられた固定電話部の操作パネルを使用できるようになり、操作性が向上する。
【０００９】
請求項３に係る発明によると、充電装置のハウジングには、電動工具用バッテリの充電状態、あるいは携帯電話の着信を報知する回転灯が設けられていることを特徴とする。
このため、騒音等の環境下でもバッテリの充電状態、あるいは携帯電話の着信が分かり易くなる。
【００１０】
請求項４に係る発明によると、携帯電話用電源部は、商用電源からの電力を携帯電話に供給できるように構成されていることを特徴とする。
【００１１】
請求項５に係る発明によると、充電装置のハウジングには、携帯電話の音声信号を音声に変換するための第２のスピーカ部が収納されていることを特徴とする。
このため、例えば、携帯電話にダウンロードした音楽等を現場で聞くことが可能になる。
【００１２】
請求項６に係る発明によると、充電装置のハウジングには、商用電源用のコンセントが取り付けられていることを特徴とする。
このため、充電装置のコンセントを利用して交流用の電動工具や照明を使用することが可能になる。なお、コンセントは連動サービスコンセントであっても良く、例えば、連動サービスコンセントに接続したライトが電話着信と連動して点灯するようにしても良い。
【００１３】
請求項７に係る発明によると、充電装置のハウジングの端縁部は、弾性体によって外側から覆われていることを特徴とする。
このため、外部からの衝撃が弾性体によってある程度吸収され、充電装置が破損し難くなる。
【発明の効果】
【００１４】
本発明によると、携帯電話を作業現場で使用する際の使い勝手が向上する。
【図面の簡単な説明】
【００１５】
【図１】本発明の実施形態１に係る充電装置の全体斜視図である。
【図２】本実施形態に係る充電装置に電動工具用バッテリを接続した状態を表す斜視図である。
【図３】本実施形態に係る充電装置の配線ブロック図である。
【発明を実施するための形態】
【００１６】
以下、図１から図３に基づいて、本発明の実施形態１に係る充電装置の説明を行う。
ここで、図中の前後左右は、充電装置の前後左右を表しており、明細書中の前後左右も充電装置（図中）の前後左右に合わせている。
【００１７】
＜充電装置１０の概要について＞
充電装置１０は、図１に示すように、一体化された扁平角形のハウジング１２を備えており、そのハウジング１２に充電器本体部２０と固定電話部３０及び携帯電話保持部４５とが設けられている。即ち、前記ハウジング１２の略左半分に充電器本体部２０が設けられており、そのハウジング１２の略右半分に固定電話部３０が設けられている。そして、固定電話部３０の前端中央位置に携帯電話保持部４５が設けられている。
さらに、ハウジング１２には、携帯電話保持部４５の左隣に回転灯５０が取り付けられており、そのハウジング１２の右側面にサービスコンセント５２が取り付けられている。
また、ハウジング１２の右側面の周縁、即ち、ハウジング１２の右側角部が全周に亘って帯状の弾性体１４によって覆われており、同様にハウジング１２の左側角部が全周に亘って帯状の弾性体１４によって覆われている。
【００１８】
＜充電器本体部２０について＞
充電器本体部２０は、電動工具用バッテリ６０（図２参照）を充電する部分であり、図１に示すように、ハウジング１２の上面に前後方向に延びるように形成された左右一対のレール状の連結部２２を備えている。連結部２２は電動工具用バッテリ６０の連結部（図示省略）が連結される部分であり、その連結部２２の前端位置に充電用端子Ｐ，Ｎ（図３参照）が設けられている。充電用端子Ｐ，Ｎには、電動工具用バッテリ６０の前記連結部が充電器本体部２０の連結部２２に水平方向から連結された状態で、その電動工具用バッテリ６０のＰ，Ｎ端子（図示省略）が接続されるように構成されている。また、ハウジング１２の上面前端位置には、左右一対の連結部２２間に信号用コネクタＣＮ１が設けられており、その信号用コネクタＣＮ１に電動工具用バッテリ６０の信号用コネクタ（図示省略）が接続されるようになっている。
充電器本体部２０は、図３の配線ブロック図に示すように、ハウジング１２に収納された制御部７０と信号線２０ｓにより接続されており、その制御部７０に対して充電完了信号や充電異常信号等を伝送できるように構成されている。また、充電器本体部２０は、後記する電源部７２から直流電力を供給されるように構成されている。
【００１９】
＜携帯電話保持部４５について＞
携帯電話保持部４５は、図１に示すように、携帯電話４０の略下半分を収納できるように上部開放容器状に形成されており、その携帯電話保持部４５の内側に携帯電話４０のケーブル４３のコネクタ４３ｃが接続される受けコネクタ４５ｃ（図３参照）が設けられている。そして、携帯電話保持部４５の受けコネクタ４５ｃが信号ケーブル４５ｓによって前記制御部７０に接続されている。
これにより、携帯電話４０のケーブル４３のコネクタ４３ｃを携帯電話保持部４５の受けコネクタ４５ｃに接続することで、携帯電話４０が制御部７０に接続される。
【００２０】
＜固定電話部３０について＞
固定電話部３０は、携帯電話４０の操作補器であり、図３に示すように、信号線３０ｓによって前記制御部７０に接続されている。固定電話部３０は、制御部７０を介して携帯電話４０との間でデータを送受信可能に構成されている。このため、固定電話部３０を使用し、前記携帯電話４０の通信機能を利用して相手と通話することが可能になる。
固定電話部３０は、図１に示すように、携帯電話４０の操作パネル（図示省略）と等しい機能を有する操作パネル３４とを有しており、その操作パネル３４がハウジング１２の上面のほぼ中央位置に設けられている。また、操作パネル３４の右側には、通話に使用される受話器３６が配置されている。受話器３６は、グリップ部３６ｈと、そのグリップ部３６ｈの上側に設けられた耳当部３６ｙと、前記グリップ部３６ｈの下側に設けられた通話部３６ｍとを備えている。そして、耳当部３６ｙの内側にスピーカが収納されており、通話部３６ｍの内側にマイクが収納されている。即ち、前記スピーカにより携帯電話４０が受信した相手の音声信号を音声に変換して聞くことができ、前記マイクにより音声を携帯電話４０に入力するための音声信号に変換して相手に伝えることができる。このため、受話器３６のグリップ部３６ｈを握り、耳当部３６ｙを耳に当てた状態で相手と通話することができる。また、前記耳当部３６ｙを耳に当てた状態でグリップ部３６ｈを頬と肩との間に挟み、相手と通話することも可能になる。
即ち、受話器３６が本発明の保持部材に相当し、耳当部３６ｙの内側に設けられたスピーカが本発明の第１のスピーカ部に相当する。また、通話部３６ｍの内側に設けられたマイクが本発明のマイク部に相当する。
【００２１】
＜その他の構成について＞
固定電話部３０の操作パネル３４の後側（手前側）には、多数のサウンドホール３７が形成されており、そのサウンドホール３７の内側にスピーカ３８が収納されている。スピーカ３８は、図３に示すように、信号線３８ｓにより制御部７０に接続されており、携帯電話４０が受信した音声信号、あるいは携帯電話４０でダウンロードした音楽等の音声信号を音声に変換できるように構成されている。
即ち、前記スピーカ３８が本発明の第２のスピーカ部に相当する。
また、携帯電話保持部４５の左横に配置された回転灯５０は、図３に示すように、信号線５０ｓにより制御部７０に接続されており、携帯電話４０の着信時、充電完了時、あるいは充電異常時等に点灯するように構成されている。このとき、前記スピーカ３８により音楽や警報音を発生させるようにすることも可能である。
【００２２】
また、ハウジング１２内には、図３に示すように、制御部７０と充電器本体部２０、及びサービスコンセント５２に電力を供給する電源部７２が収納されている。電源部７２は、プラグ１７付きの電源ケーブル１６を備えており、その電源ケーブル１６により現場に設けられた工事電源用コンセント（図示省略）から交流電力（ＡＣ１００Ｖ）を受電できるように構成されている。ここで、プラグ１７付きの電源ケーブル１６は、図１に示すように、ハウジング１２の右側面から外部に引き出されている。
電源部７２は、サービスコンセント５２と電源線５２ｐによって接続されており、サービスコンセント５２に対して交流電力を供給できるように構成されている。また、電源部７２は、制御部７０と電源線７０ｐによって接続されており、制御部７０に対して直流電力を供給できるように構成されている。さらに、電源部７２は、充電器本体部２０と電源線２０ｐによって接続されており、充電器本体部２０に対して直流電力を供給できるように構成されている。
【００２３】
＜充電装置１０の取り扱いについて＞
充電装置１０を使用する際には、先ず、電源ケーブル１６のプラグ１７を現場に設けられた工事電源用コンセントに接続し、携帯電話４０のケーブル４３のコネクタ４３ｃを携帯電話保持部４５の受けコネクタ４５ｃに接続する。この状態で、図２に示すように、電動工具用バッテリ６０を充電器本体部２０に連結することで、その電動工具用バッテリ６０の充電を行なえるようになる。この状態で、時間が経過して電動工具用バッテリ６０の充電が完了すると、回転灯５０が回転するとともに、スピーカ３８から音楽、あるいは音声が流れ、充電完了が報知される。このとき、携帯電話４０から指定番号の携帯電話に対して発信を行なわせる信号を出力することも可能である。これにより、現場から離れた作業者に対して電動工具用バッテリ６０の充電を報知することが可能になる。
また、携帯電話４０に着信があると、回転灯５０が回転するとともに、スピーカ３８から音楽等が流れ、着信有りが報知される。このとき、固定電話部３０の受話器３６を取って通話することが可能になる。これにより、例えば、図面を持ちながら要点をメモする場合等にも受話器３６を頬と肩で支えて効率良く打ち合わせを行うことができる。
さらに、こちら側から相手に電話をかける場合にも固定電話部３０の操作パネル３４を使用して電話することができる。
また、充電装置１０の制御部７０を介して携帯電話４０の充電を行なうことも可能である。このとき、現場に工事電源用コンセントがない場合には、電動工具用バッテリ６０を利用して制御部７０に給電し、携帯電話４０の充電を行なうことも可能である。さらに、電動工具用バッテリ６０を回転灯のモータ等、充電装置１０に備わる機器の駆動源として利用することも可能である。
即ち、電源部７２及び制御部７０が本発明の携帯電話用電源部に相当する。
【００２４】
＜本発明に係る充電装置１０の長所について＞
本発明に係る充電装置１０によると、固定電話部３０の受話器３６により耳当部３６ｙのスピーカと通話部３６ｍのマイクとを身体に保持した状態で、そのスピーカとマイクとを使用し、充電装置１０に接続された携帯電話４０の通信機能を利用して相手と通話することができる。即ち、両手をフリーの状態で相手との通話が可能になる。
このため、例えば、携帯電話４０を使用した作業打ち合わせにおいて、図面を持ちながら要点をメモする場合等にも効率良く打ち合わせを行えるようになり、携帯電話４０の使い勝手が向上する。
また、携帯電話４０をかける際に、充電装置１０のハウジング１２に設けられた固定電話部３０の操作パネル３４を操作できるようになり、操作性が向上する。
【００２５】
また、ハウジング１２には、電動工具用バッテリ６０の充電状態、あるいは携帯電話４０の着信を報知する回転灯５０が設けられているため、騒音等の環境下でも電動工具用バッテリ６０の充電状態、あるいは携帯電話４０の着信が分かり易くなる。
また、商用電源、あるいは電動工具用バッテリ６０からの電力を携帯電話４０に供給できるように構成された携帯電話用電源部（制御部７０）を備えているため、現場で携帯電話４０の充電が可能になり、携帯電話４０の使い勝手が向上する。
また、ハウジング１２には、携帯電話４０が受信した音声信号を音声に変換するスピーカ３８が収納されているため、例えば、携帯電話４０にダウンロードした音楽等を現場で聞くことが可能になる。
また、ハウジング１２には、商用電源用のサービスコンセント５２が取り付けられているため、充電装置１０のサービスコンセント５２を利用して交流用の電動工具や照明を使用することが可能になる。
また、ハウジング１２の左右端縁部は、弾性体１４によって外側から覆われているため、外部からの衝撃が弾性体１４によってある程度吸収され、充電装置１０が破損し難くなる。
【００２６】
＜変更例＞
ここで、本発明は上記実施形態に限定されるものではなく、本発明の要旨を逸脱しない範囲における変更が可能である。例えば、本実施形態では、受話器３６を備える固定電話部３０を例示したが、受話器の代わりにヘッドホン、あるいはイアホンとマイクとを備える固定電話部を使用することも可能である。
また、操作パネルを備える固定電話部３０を例示したが、操作パネルを有しない固定電話部を使用することも可能である。
【符号の説明】
【００２７】
１０   充電装置
１２   ハウジング
１４   弾性体
２０   充電器本体部
３０   固定電話部
３６   受話器（保持部材、第１のスピーカ部、マイク部）
３８   スピーカ（第２のスピーカ部）
４０   携帯電話
４５   携帯電話保持部
５０   回転灯
５２   サービスコンセント
６０   電動工具用バッテリ
７０   制御部（携帯電話用電源部）
７２   電源部（携帯電話用電源部）
【図１】
0005512230.tif 000002
【図２】
0005512230.tif 000003
【図３】
0005512230.tif 000004